(57)【特許請求の範囲】
【請求項１】
ライフイベントに関する書面の送付サービスを実現するために用いられるライフイベントサービス提供装置であって、
ネットワークを介して接続される端末に、指定されるライフイベント広告の一覧、あるいは、検索条件を充足する１つ又は複数のライフイベント広告を掲示する手段と、
上記ライフイベント広告の掲示に応答して選択される、ライフイベントに関する書面の送付先を特定する手段と、
上記送付先の選択を行った端末に、ライフイベントに関する書面の入力域と費用の決済方法の入力域と送付者の個人情報の入力域とを持つ一画面又は複数画面で構成される入力用画面を表示する手段と、
上記入力用画面に入力される情報を取得することで、上記送付先に送付することになるライフイベントに関する書面の送付に必要となる情報を取得するとともに、その送付を行うユーザの電子メールアドレスを取得する手段と、
ライフイベントに関する書面の送付に対してのお礼の文面情報を入力する手段と、
上記お礼の文面情報を、電子メールを使って、上記電子メールアドレスの指すユーザに送信する手段とを備えることを、
特徴とするライフイベントサービス提供装置。
【請求項２】
ライフイベントに関する送金サービスを実現するために用いられるライフイベントサービス提供装置であって、
ネットワークを介して接続される端末に、指定されるライフイベント広告の一覧、あるいは、検索条件を充足する１つ又は複数のライフイベント広告を掲示する手段と、
上記ライフイベント広告の掲示に応答して選択される、ライフイベントに関する送金の送金先を特定する手段と、
上記送金先の選択を行った端末に、ライフイベントに関する送金の金額の入力域と費用の決済方法の入力域と送金者の個人情報の入力域とを持つ一画面又は複数画面で構成される入力用画面を表示する手段と、
上記入力用画面に入力される情報を取得することで、上記送金先に送金することになるライフイベントに関する送金に必要となる情報を取得するとともに、その送金を行うユーザの電子メールアドレスを取得する手段と、
ライフイベントに関する送金に対してのお礼の文面情報を入力する手段と、
上記お礼の文面情報を、電子メールを使って、上記電子メールアドレスの指すユーザに送信する手段とを備えることを、
特徴とするライフイベントサービス提供装置。
【請求項３】
ライフイベントに関する贈り物の送付サービスを実現するために用いられるライフイベントサービス提供装置であって、
ネットワークを介して接続される端末に、指定されるライフイベント広告の一覧、あるいは、検索条件を充足する１つ又は複数のライフイベント広告を掲示する手段と、
上記ライフイベント広告の掲示に応答して選択される、ライフイベントに関する贈り物の送付先を特定する手段と、
上記送付先の選択を行った端末に、ライフイベントに関する贈り物の決定に用いる入力域と費用の決済方法の入力域と送付者の個人情報の入力域とを持つ一画面又は複数画面で構成される入力用画面を表示する手段と、
上記入力用画面に入力される情報を取得することで、上記送付先に送付することになるライフイベントに関する贈り物の送付に必要となる情報を取得するとともに、その送付を行うユーザの電子メールアドレスを取得する手段と、
ライフイベントに関する贈り物の送付に対してのお礼の文面情報を入力する手段と、
上記お礼の文面情報を、電子メールを使って、上記電子メールアドレスの指すユーザに送信する手段とを備えることを、
特徴とするライフイベントサービス提供装置。
【請求項４】
ライフイベント広告を掲示する掲示手段と、ライフイベントに関する書面の送付先を特定する特定手段と、入力用画面を表示する表示手段と、電子メールアドレスを取得する取得手段と、お礼の文面情報を入力する入力手段と、お礼の文面情報を送信する送信手段とを有するライフイベントサービス提供装置により実行されて、ライフイベントに関する書面の送付サービスを実現するライフイベントサービス提供方法であって、
上記掲示手段が、ネットワークを介して接続される端末に、指定されるライフイベント広告の一覧、あるいは、検索条件を充足する１つ又は複数のライフイベント広告を掲示し、
上記特定手段が、上記ライフイベント広告の掲示に応答して選択される、ライフイベントに関する書面の送付先を特定し、
上記表示手段が、上記送付先の選択を行った端末に、ライフイベントに関する書面の入力域と費用の決済方法の入力域と送付者の個人情報の入力域とを持つ一画面又は複数画面で構成される入力用画面を表示し、
上記取得手段が、上記入力用画面に入力される情報を取得することで、上記送付先に送付することになるライフイベントに関する書面の送付に必要となる情報を取得するとともに、その送付を行うユーザの電子メールアドレスを取得し、
上記入力手段が、ライフイベントに関する書面の送付に対してのお礼の文面情報を入力し、
上記送信手段が、上記お礼の文面情報を、電子メールを使って、上記電子メールアドレスの指すユーザに送信することを、
特徴とするライフイベントサービス提供方法。
【請求項５】
ライフイベント広告を掲示する掲示手段と、ライフイベントに関する送金の送金先を特定する特定手段と、入力用画面を表示する表示手段と、電子メールアドレスを取得する取得手段と、お礼の文面情報を入力する入力手段と、お礼の文面情報を送信する送信手段とを有するライフイベントサービス提供装置により実行されて、ライフイベントに関する送金サービスを実現するライフイベントサービス提供方法であって、
上記掲示手段が、ネットワークを介して接続される端末に、指定されるライフイベント広告の一覧、あるいは、検索条件を充足する１つ又は複数のライフイベント広告を掲示し、
上記特定手段が、上記ライフイベント広告の掲示に応答して選択される、ライフイベントに関する送金の送金先を特定し、
上記表示手段が、上記送金先の選択を行った端末に、ライフイベントに関する送金の金額の入力域と費用の決済方法の入力域と送金者の個人情報の入力域とを持つ一画面又は複数画面で構成される入力用画面を表示し、
上記取得手段が、上記入力用画面に入力される情報を取得することで、上記送金先に送金することになるライフイベントに関する送金に必要となる情報を取得するとともに、その送金を行うユーザの電子メールアドレスを取得し、
上記入力手段が、ライフイベントに関する送金に対してのお礼の文面情報を入力し、
上記送信手段が、上記お礼の文面情報を、電子メールを使って、上記電子メールアドレスの指すユーザに送信することを、
特徴とするライフイベントサービス提供方法。
【請求項６】
ライフイベント広告を掲示する掲示手段と、ライフイベントに関する贈り物の送付先を特定する特定手段と、入力用画面を表示する表示手段と、電子メールアドレスを取得する取得手段と、お礼の文面情報を入力する入力手段と、お礼の文面情報を送信する送信手段とを有するライフイベントサービス提供装置により実行されて、ライフイベントに関する贈り物の送付サービスを実現するライフイベントサービス提供方法であって、
上記掲示手段が、ネットワークを介して接続される端末に、指定されるライフイベント広告の一覧、あるいは、検索条件を充足する１つ又は複数のライフイベント広告を掲示し、
上記特定手段が、上記ライフイベント広告の掲示に応答して選択される、ライフイベントに関する贈り物の送付先を特定し、
上記表示手段が、上記送付先の選択を行った端末に、ライフイベントに関する贈り物の決定に用いる入力域と費用の決済方法の入力域と送付者の個人情報の入力域とを持つ一画面又は複数画面で構成される入力用画面を表示し、
上記取得手段が、上記入力用画面に入力される情報を取得することで、上記送付先に送付することになるライフイベントに関する贈り物の送付に必要となる情報を取得するとともに、その送付を行うユーザの電子メールアドレスを取得し、
上記入力手段が、ライフイベントに関する贈り物の送付に対してのお礼の文面情報を入力し、
上記送信手段が、上記お礼の文面情報を、電子メールを使って、上記電子メールアドレスの指すユーザに送信することを、
特徴とするライフイベントサービス提供方法。
【発明の詳細な説明】
【技術分野】
【０００１】
本発明は、葬儀や結婚式などの各種ライフイベントに関する書面やお金や贈り物の送付サービスを実現するために用いられるライフイベントサービス提供装置及びその方法に関する。
【背景技術】
【０００２】
葬儀に際して、故人にゆかりの深い人達や遺族にゆかりの深い人達が、遺族に対して、弔電や香典を送ったり、御霊前に供える御供物や御供花を送ることが行われている。
【０００３】
葬儀の他にも、結婚や入学や新築などといった祝い事のライフイベントに際しても、祝電を送ったり、お祝い金を送ったり、贈り物を送ることが行われている。
【０００４】
一方、最近のインターネットの普及に伴って、様々な情報がインターネット上で掲示されるようになってきており、葬儀のようなライフイベントに関する情報についても、インターネット上で掲示されるようになりつつある。
【０００５】
このようなことを背景にして、ライフイベントに関する新たなサービスを提供するシステムを構築する必要がでてきている。
【０００６】
葬儀を具体例にして従来技術を説明するならば、通常、葬儀が行われる場合、連絡先が離れている場合には、電話などを使って、通夜や告別式の日時や式場などの葬儀に関する情報を知らせていくという方法が用いられている。
【０００７】
一方、インターネットの普及に伴って、最近、葬儀社と提携することで、インターネット上で、死亡広告の一覧を掲示するとともに、その中から故人の名前が選択されると、その選択された故人の葬儀に関する情報を掲示するというサービスが提供されるようになってきた。
【発明の開示】
【発明が解決しようとする課題】
【０００８】
このように、最近では、インターネット上で、故人の葬儀に関する情報を掲示することが行われるようになってきたが、これまでの技術では、通夜や告別式の日時や式場などといった葬儀に関する情報を掲示することに止まっている。
【０００９】
一方、葬儀に関する慣例として、遺族に対して、弔電を送ったり、香典を送ったり、御供物を送ったり、御供花を送ることが行われているが、従来技術では、これらに対するサービスをインターネット上で提供することについて検討していない。
【００１０】
今後、インターネットの普及に伴って、故人の葬儀に関する情報をインターネットから取得していくことがごく普通に行われるようになるものと予想されることから、インターネット上で、お悔やみ書面を送付したり、香典を送付したり、御供物を送付したり、御供花を送付できるようにする技術を構築していく必要がある。
【００１１】
このような技術の構築は、葬儀以外の様々なライフイベントに対しても要求されるものである。
【００１２】
本発明はかかる事情に鑑みてなされたものであって、葬儀や結婚式などの各種ライフイベントに関する書面やお金や贈り物の送付サービスを実現するために用いられる新たなライフイベントサービス提供装置及びその方法の提供を目的とする。
【課題を解決するための手段】
【００１３】
図１に本発明の原理構成を図示する。
【００１４】
図中、１は本発明を具備するライフイベントサービス提供装置、２はネットワーク３を介してライフイベントサービス提供装置１に接続される端末、４はライフイベントサービス提供装置１を運用するライフイベントサービス提供会社、５はライフイベント情報を提供する取扱会社、６はライフイベントに関する書面やお金や贈り物を配送する中継会社、７はお金を決済する決済会社である。
【００１５】
本発明のライフイベントサービス提供装置１は、ライフイベントに関する書面やお金や贈り物の送付サービスを実現するための処理を行うものであって、ライフイベント情報ファイル１０と、掲示手段１１と、特定手段１２と、表示手段１３と、取得手段１４と、入力手段１５と、送信手段１６とを備える。
【００１６】
このライフイベント情報ファイル１０は、取扱会社５から取得されるライフイベントの情報を格納する。
【００１７】
掲示手段１１は、ライフイベント情報ファイル１０の格納するライフイベント情報に従って、端末２に対して、指定されるライフイベント広告の一覧、あるいは、検索条件を充足する１つ又は複数のライフイベント広告を掲示する。
【００１８】
特定手段１２は、ライフイベント広告の掲示に応答して選択される、ライフイベントに関する書面やお金や贈り物の送付先を特定する。
【００１９】
表示手段１３は、ライフイベントに関する書面やお金や贈り物の送付先の選択を行った端末２に、その送付に必要となる情報の入力に用いる一画面又は複数画面で構成される入力用画面を表示する。
【００２０】
取得手段１４は、表示手段１３の表示した入力用画面に入力される情報を取得することで、ライフイベントに関する書面やお金や贈り物の送付に必要となる情報を取得するとともに、その送付を行うユーザの電子メールアドレスを取得する。
【００２１】
入力手段１５は、ライフイベントに関する書面やお金や贈り物の送付に対してのお礼の文面情報を入力する。
【００２２】
送信手段１６は、入力手段１５の入力したお礼の文面情報を、電子メールを使って、取得手段１４の取得した電子メールアドレスの指すユーザに送信する。
【００２３】
ここで、本発明のライフイベントサービス提供装置１の持つ機能は具体的にはプログラムで実現されるものであり、このプログラムは、フロッピィディスクなどに記録されたり、サーバなどのディスクなどに記録され、それらから本発明のライフイベントサービス提供装置１にインストールされてメモリ上で動作することで、本発明を実現することになる。
【００２４】
このように構成される本発明のライフイベントサービス提供装置１では、掲示手段１１がネットワーク３を介して接続される端末２にライフイベント広告を掲示するときに、端末２から、そのライフイベント広告の掲示に応答してライフイベントに関する書面の送付先が選択されると、特定手段１２は、その送付先を特定し、表示手段１３は、その送付先の選択を行った端末２に対して、ライフイベントに関する書面の入力域と費用の決済方法の入力域と送付者の個人情報の入力域とを持つ入力用画面を表示する。
【００２５】
そして、取得手段１４は、この入力用画面に入力される情報を取得することで、ライフイベントに関する書面の送付に必要となる情報を取得するとともに、その送付を行うユーザの電子メールアドレスを取得して、その取得したライフイベントに関する書面の送付に必要となる情報と特定手段１２の特定した送付先の情報とをライフイベントサービス提供会社４に通知することで、ライフイベントに関する書面の送付を実現する。
【００２６】
そして、入力手段１５は、ライフイベントに関する書面の送付に対してのお礼の文面情報を入力し、これを受けて、送信手段１６は、入力手段１５の入力したお礼の文面情報を、電子メールを使って、取得手段１４の取得した電子メールアドレスの指すユーザ（ライフイベントに関する書面の送付を行ったユーザ）に送信する。
【００２７】
一方、このように構成される本発明のライフイベントサービス提供装置１では、掲示手段１１がネットワーク３を介して接続される端末２にライフイベント広告を掲示するときに、端末２から、そのライフイベント広告の掲示に応答してライフイベントに関する送金の送金先が選択されると、特定手段１２は、その送金先を特定し、表示手段１３は、その送金先の選択を行った端末２に対して、ライフイベントに関する送金の金額の入力域と費用の決済方法の入力域と送金者の個人情報の入力域とを持つ入力用画面を表示する。
【００２８】
そして、取得手段１４は、この入力用画面に入力される情報を取得することで、ライフイベントに関する送金に必要となる情報を取得するとともに、その送金を行うユーザの電子メールアドレスを取得して、その取得したライフイベントに関する送金に必要となる情報と特定手段１２の特定した送金先の情報とをライフイベントサービス提供会社４に通知することで、ライフイベントに関する送金を実現する。
【００２９】
そして、入力手段１５は、ライフイベントに関する送金に対してのお礼の文面情報を入力し、これを受けて、送信手段１６は、入力手段１５の入力したお礼の文面情報を、電子メールを使って、取得手段１４の取得した電子メールアドレスの指すユーザ（ライフイベントに関する送金を行ったユーザ）に送信する。
【００３０】
一方、このように構成される本発明のライフイベントサービス提供装置１では、掲示手段１１がネットワーク３を介して接続される端末２にライフイベント広告を掲示するときに、端末２から、そのライフイベント広告の掲示に応答してライフイベントに関する贈り物の送付先が選択されると、特定手段１２は、その送付先を特定し、表示手段１３は、その送付先の選択を行った端末２に対して、ライフイベントに関する贈り物の決定に用いる入力域と費用の決済方法の入力域と送付者の個人情報の入力域とを持つ入力用画面を表示する。
【００３１】
そして、取得手段１４は、この入力用画面に入力される情報を取得することで、ライフイベントに関する贈り物の送付に必要となる情報を取得するとともに、その送付を行うユーザの電子メールアドレスを取得して、その取得したライフイベントに関する贈り物の送付に必要となる情報と特定手段１２の特定した送付先の情報とをライフイベントサービス提供会社４に通知することで、ライフイベントに関する贈り物の送付を実現する。
【００３２】
そして、入力手段１５は、ライフイベントに関する贈り物の送付に対してのお礼の文面情報を入力し、これを受けて、送信手段１６は、入力手段１５の入力したお礼の文面情報を、電子メールを使って、取得手段１４の取得した電子メールアドレスの指すユーザ（ライフイベントに関する贈り物の送付を行ったユーザ）に送信する。
【発明の効果】
【００３３】
以上説明したように、本発明によれば、ネットワークを利用した形態でのライフイベントに関する書面の送付を実現できるようになる。そして、本発明によれば、ネットワークを利用した形態でのライフイベントに関する送金を実現できるようになる。そして、本発明によれば、ネットワークを利用した形態でのライフイベントに関する贈り物の送付を実現できるようになる。
【００３４】
例えば、ネットワークを利用した形態でのお悔やみ書面の送付を実現できるようになるし、ネットワークを利用した形態での香典の送付を実現できるようになるし、ネットワークを利用した形態での御供物の送付を実現できるようになるし、ネットワークを利用した形態での御供花の送付を実現できるようになるのである。
【００３５】
これから、遠方にいる人々は、これまでよりも簡単に、ライフイベントに関する書面を送ったり、ライフイベントに関する贈り物を送ったり、ライフイベントに関するお金を送金できるようになる。
【００３６】
この構成を実現するときにあって、本発明によれば、ライフイベントに関する書面やお金や贈り物の送付を受けたユーザは、誰にお礼の文面を送るのかをいちいち入力しなくても、本発明のライフイベントサービス提供装置１に対してお礼の文面情報を入力するだけでもって（自分で入力してよいし、葬儀社などに依頼する形で入力してもよい）、その送付を行ってくれたユーザに対してお礼の文面を送ることができるようになる。
【発明を実施するための最良の形態】
【００３７】
以下、実施の形態に従って本発明について詳細に説明する。
【００３８】
図２に、本発明を具備する葬儀サービス提供装置１００の一実施例を図示する。
【００３９】
この実施例に従う葬儀サービス提供装置１００は、インターネット３ａを介して接続される端末２のユーザに対して、葬儀に関するサービスを提供する処理を行うものであって、葬儀社４００から取得される亡くなった方の葬儀に関する情報を格納する葬儀情報ファイル１０１と、Ｗeb機能及び電子メール機能を使って、ユーザに対して葬儀に関するサービスを提供する葬儀サービス提供プログラム１０２と、端末２から送られてくる電子メールを格納するメールボックス１０３と、葬儀社４００や自装置に備えられる入力端末２００と対話することで、葬儀情報ファイル１０１に葬儀情報を登録するなどの処理を行う葬儀情報入力プログラム１０４とを備える。
【００４０】
ここで、図中に示す２０は端末２に展開されるブラウザ、３００は葬儀サービス提供会社、５００は宅配便会社、６００はカード会社である。
【００４１】
また、葬儀サービス提供プログラム１０２や葬儀情報入力プログラム１０４は、計算機が読み取り可能な半導体メモリなどの適当な記録媒体に格納することができる。
【００４２】
葬儀サービス提供会社３００は、葬儀サービス提供プログラム１０２からの指示を受けて、お悔やみ書面の送付サービス要求があるときには、お悔やみの書面を作成し体裁を整えて、宅配便会社５００などを使ってそれを遺族に送付するとともに、カード会社６００に対して、依頼元のユーザの銀行口座から葬儀サービス提供会社３００の銀行口座への手数料の振り込みを指示することで、お悔やみ書面の送付サービスを実行する。
【００４３】
また、葬儀サービス提供会社３００は、葬儀サービス提供プログラム１０２からの指示を受けて、香典の送付サービス要求があるときには、カード会社６００に対して、依頼元ユーザの銀行口座から遺族の指定する銀行口座への香典の振り込みを指示し、それに合わせて香典の送付用書面（誰から香典が振り込まれたのかを記載する書面）を作成して、宅配便会社５００などを使ってそれを遺族に送付するとともに、カード会社６００に対して、依頼元のユーザの銀行口座から葬儀サービス提供会社３００の銀行口座への手数料の振り込みを指示することで、香典の送付サービスを実行する。
【００４４】
また、葬儀サービス提供会社３００は、葬儀サービス提供プログラム１０２からの指示を受けて、御供物の送付サービス要求があるときには、送付要求のある御供物を手配して、宅配便会社５００などを使ってそれを遺族に送付するとともに、カード会社６００に対して、依頼元のユーザの銀行口座から葬儀サービス提供会社３００（あるいは御供物販売会社）の銀行口座への費用の振り込みを指示することで、御供物の送付サービスを実行する。
【００４５】
また、葬儀サービス提供会社３００は、葬儀サービス提供プログラム１０２からの指示を受けて、御供花の送付サービス要求があるときには、送付要求のある御供花を手配して、宅配便会社５００などを使ってそれを遺族に送付するとともに、カード会社６００に対して、依頼元のユーザの銀行口座から葬儀サービス提供会社３００（あるいは御供花販売会社）の銀行口座への費用の振り込みを指示することで、御供花の送付サービスを実行する。
【００４６】
ここで、費用の決済については、インターネットバンキングなどのような銀行を介在させて、香典の送付サービスで説明するならば、（ｉ）銀行に対して、依頼元のユーザの銀行口座から遺族の指定する銀行口座への香典の振り込みを指示するとともに、依頼元のユーザの銀行口座から葬儀サービス提供会社３００の銀行口座への手数料の振り込みを指示するというような決済方法を用いたり、（ii）銀行に対して、葬儀サービス提供会社３００の銀行口座から遺族の指定する銀行口座への香典の振り込みを指示するとともに、カード会社６００に対して、依頼元のユーザの銀行口座から葬儀サービス提供会社３００の銀行口座への香典及び手数料の振り込みを指示するというような決済方法を用いることも可能である。
【００４７】
図３ないし図６に、葬儀サービス提供プログラム１０２が実行する処理フローの一実施例を図示する。次に、この処理フローに従って、本発明について詳細に説明する。
【００４８】
葬儀サービス提供プログラム１０２は、ホームページから呼び出される図７に示すような初期画面を表示しているときに、ユーザが「死亡広告」ボタンをクリックすることで死亡広告の表示要求を発行すると、図３ないし図６の処理フローに示すように、先ず最初に、ステップ１で、葬儀情報ファイル１０１から亡くなった方の葬儀に関する情報を取得して、それに従って端末２のディスプレイ画面に死亡広告（死亡通知）の一覧を表示する。すなわち、図８に示すような死亡広告の一覧を表示するのである。
【００４９】
続いて、ステップ２で、この表示画面の持つボタンがクリックされるのを待って、ボタンがクリックされると、続くステップ３で、そのクリック先が故人名であるのか否かを判断して、クリック先が故人名でないことを判断するときは、ステップ７に進んで、クリックされたボタンの指定する処理を行う。
【００５０】
例えば、「市町村」ボタンがクリックされるときには、死亡広告の一覧を市町村別にソートして表示したり、「日付」ボタンがクリックされるときには、死亡広告の一覧を死亡日順にソートして表示したり、「五十音」ボタンがクリックされるときには、死亡広告の一覧を故人名を五十音順にソートして表示したりするのである。
【００５１】
一方、ステップ３で、クリック先が故人名であることを判断するときには、ステップ４に進んで、そのクリック先の故人の葬儀情報を端末２のディスプレイ画面に表示する。すなわち、図９に示すように、通夜の日時や告別式の日時や通夜の場所や告別式の場所や問い合わせ先や故人のプロフィールなどといった葬儀情報を表示するのである。
【００５２】
続いて、ステップ５で、この表示画面の持つボタンがクリックされるのを待って、ボタンがクリックされると、続くステップ６で、そのクリック先が右上に配置される「お悔やみと香典」ボタンであるのか否かを判断して、クリック先がこの「お悔やみと香典」ボタンでないことを判断するときには、ステップ７に進んで、クリックされたボタンの指定する処理を行う。
【００５３】
例えば、通夜・葬儀場所となっている「本覚寺」がクリックされるときには、本覚寺の地図などの情報を図１０に示すように表示したり、問い合わせ先となっている「青一造花店」がクリックされるときには、青一造花店の地図などの情報を表示したり、「中継」ボタンがクリックされるときには、葬儀の映像を表示したりするのである。
【００５４】
一方、ステップ６で、クリック先が「お悔やみと香典」ボタンであることを判断するときには、ステップ８に進んで、ユーザに提供するお悔やみ／香典のサービス内容の紹介画面を端末２のディスプレイ画面に表示する。すなわち、手数料や受付時間やお届け先やお届け日や手数料・香典の支払い方法やお問い合わせ先について紹介する、図１１に示すような紹介画面を表示するのである。
【００５５】
続いて、ステップ９で、この表示画面の持つボタンがクリックされるのを待って、ボタンがクリックされると、続くステップ１０（図４の処理フロー）で、そのクリック先が「お悔やみ」のサービスボタンであるのか否かを判断して、クリック先が「お悔やみ」のサービスボタンであることを判断するときには、ステップ１１に進んで、お悔やみの送付に必要となる情報の入力に用いる入力画面を端末２のディスプレイ画面に表示する。
【００５６】
すなわち、お悔やみの文章の入力域と、お悔やみの送信者（送付者）であるユーザの情報（名前、住所、電話番号、電子メールアドレス、使用しているカード会社名とそのカード番号）の入力域とを持つ、図１２に示すようなお悔やみ情報の入力画面を表示するのである。
【００５７】
ここで、このお悔やみ情報の入力画面で、ユーザの使用しているカード会社名とそのカード番号とを入力させる構成を採っているのは、お悔やみの送付手数料をカード会社を使って決済させるようにする構成を採っているからである。また、お悔やみの文章の作成の便宜を図るために、いくつかの文例を用意する構成を採って、ユーザがその文例を使ってお悔やみの文章を入力できるようにする構成を採っている。
【００５８】
このお悔やみ情報の入力画面に応答して、ユーザがお悔やみの送付に必要となる情報を入力（お悔やみの送付先は、死亡広告の一覧で選択された故人の遺族が自動設定される）してそれを送信してくるので、続いて、ステップ１２で、そのお悔やみ情報が送られてくるのを待って、そのお悔やみ情報が送られてくると、続くステップ１３で、それを受け取ってチェックする。なお、カード番号については、秘密性を保持するために暗号化して送信する構成を採っている。
【００５９】
続いて、ステップ１４で、送られてきたお悔やみ情報の確認用返信ファイルを作成し、続くステップ１５で、その作成した確認用返信ファイルを送信元の端末２に返信することで、受け取ったお悔やみ情報の確認画面を端末２のディスプレイ画面に表示する。すなわち、図１３に示すように、ユーザの入力したお悔やみ情報を表示することで、その確認を求めるのである。
【００６０】
この確認画面の表示に応答して、ユーザがお悔やみ情報の確認を送信してくるので、続いて、ステップ１６で、その確認の応答をチェックして、その応答がないことを判断するときには、ステップ１７に進んで、ステップ１４で作成した確認用返信ファイルを削除してから、ステップ９に戻る。
【００６１】
一方、ステップ１６で、ユーザからお悔やみ情報の確認が送られてくることを判断するときには、ステップ１８に進んで、ステップ１４で作成した確認用返信ファイルからお悔やみ情報の受付ファイルを作成し、続くステップ１９で、その作成した受付ファイルを指定して、葬儀サービス提供会社３００に対して、お悔やみの印刷とその送付とを指示して、処理を終了する。
【００６２】
この指示を受けて、葬儀サービス提供会社３００は、お悔やみの書面を作成して、宅配便会社５００などを使ってそれを遺族に送付するとともに、カード会社６００に対して、依頼元のユーザの銀行口座からのサービス手数料の振り込みを指示することで、お悔やみの送付を実行する。
【００６３】
このようにして、端末２を操作するユーザは、葬儀サービス提供プログラム１０２の掲示する死亡広告の一覧から、お悔やみを送付したいという遺族を見つけると、葬儀サービス提供プログラム１０２の表示するお悔やみ情報の入力画面に必要な情報を入力するだけで、その遺族に対してお悔やみを送付できるようになるのである。
【００６４】
一方、葬儀サービス提供プログラム１０２は、図１１に示すようなお悔やみ／香典のサービス内容の紹介画面を表示しているときに、図４の処理フローのステップ１０で、ユーザのクリック先が「お悔やみ」のサービスボタンでないことを判断すると、ステップ２０（図５の処理フロー）に進んで、ユーザのクリック先が「香典」のサービスボタンであるのか否かを判断して、「香典」のサービスボタンであることを判断するときには、ステップ２１に進んで、香典の送付に必要となる情報の入力に用いる入力画面を端末２のディスプレイ画面に表示する。
【００６５】
すなわち、香典の金額の入力域と、香典の送信者であるユーザの情報（名前、住所、電話番号、電子メールアドレス、使用しているカード会社名とそのカード番号）の入力域とを持つ、図１４に示すような香典情報の入力画面を表示するのである。
【００６６】
ここで、この香典情報の入力画面で、ユーザの使用しているカード会社名とそのカード番号とを入力させる構成を採っているのは、香典と香典送付の手数料とをカード会社を使って決済させるようにする構成を採っているからである。
【００６７】
この香典情報の入力画面に応答して、ユーザが香典の送付に必要となる情報を入力（香典の送付先は、死亡広告の一覧で選択された故人の遺族が自動設定される）してそれを送信してくるので、続いて、ステップ２２で、その香典情報が送られてくるのを待って、その香典情報が送られてくると、続くステップ２３で、それを受け取ってチェックする。
【００６８】
続いて、ステップ２４で、送られてきた香典情報の確認用返信ファイルを作成し、続くステップ２５で、その作成した確認用返信ファイルを送信元の端末２に返信することで、受け取った香典情報の確認画面を端末２のディスプレイ画面に表示する。すなわち、図１５に示すように、ユーザの入力した香典情報を表示することで、その確認を求めるのである。
【００６９】
ここで、香典は遺族の指定する銀行口座に振り込むとともに、遺族に対しては、香典送金者の住所・氏名・香典金額などを記載する香典の書面を送付するというシステムを採用しているので、この確認画面では、香典を遺族の指定する銀行口座に振り込むことについても確認を求めている。
【００７０】
この確認画面の表示に応答して、ユーザが香典情報の確認を送信してくるので、続いて、ステップ２６で、その確認の応答をチェックして、その応答がないことを判断するときには、ステップ２７に進んで、ステップ２４で作成した確認用返信ファイルを削除してから、ステップ９に戻る。
【００７１】
一方、ステップ２６で、ユーザから香典情報の確認が送られてくることを判断するときには、ステップ２８に進んで、ステップ２４で作成した確認用返信ファイルから香典情報の受付ファイルを作成し、続くステップ２９で、その作成した受付ファイルを指定して、葬儀サービス提供会社３００に対して、香典金額の銀行振込を指示するとともに、香典の送付用書面の印刷とその送付とを指示して、処理を終了する。
【００７２】
この指示を受けて、葬儀サービス提供会社３００は、カード会社６００に対して、依頼元のユーザの銀行口座から遺族の指定する銀行口座への香典の振込を指示し、そして、香典の送付用書面を作成して、宅配便会社５００などを使ってそれを遺族に送付し、更に、カード会社６００に対して、依頼元のユーザの銀行口座からのサービス手数料の振り込みを指示することで、香典の送付を実行する。
【００７３】
このようにして、端末２を操作するユーザは、葬儀サービス提供プログラム１０２の掲示する死亡広告の一覧から、香典を送付したいという遺族を見つけると、葬儀サービス提供プログラム１０２の表示する香典情報の入力画面に必要な情報を入力するだけで、その遺族に対して香典を送付できるようになるのである。
【００７４】
一方、葬儀サービス提供プログラム１０２は、図１１に示すようなお悔やみ／香典のサービス内容の紹介画面を表示しているときに、図５の処理フローのステップ２０で、ユーザのクリック先が「香典」のサービスボタンでないことを判断するとき、すなわち、ユーザのクリック先が「お悔やみ」のサービスボタンでもなく、「香典」のサービスボタンでもないことで、ユーザのクリック先が「お悔やみと香典」のサービスボタンであることを判断するときには、ステップ３０（図６の処理フロー）に進んで、お悔やみと香典の送付に必要となる情報の入力に用いる入力画面を端末２のディスプレイ画面に表示する。
【００７５】
すなわち、お悔やみの文章の入力域と、お悔やみ／香典の送信者であるユーザの情報（名前、住所、電話番号、電子メールアドレス、使用しているカード会社名とそのカード番号）の入力域と、香典の金額の入力域とを持つ、図１６に示すようなお悔やみ／香典情報の入力画面を表示するのである。
【００７６】
ここで、このお悔やみ／香典情報の入力画面で、ユーザの使用しているカード会社名とそのカード番号とを入力させる構成を採っているのは、香典と香典の送付手数料とお悔やみの送付手数料とをカード会社を使って決済させるようにする構成を採っているからである。また、お悔やみの文章の作成の便宜を図るために、いくつかの文例を用意する構成を採って、ユーザがその文例を使ってお悔やみの文章を入力できるようにする構成を採っている。
【００７７】
このお悔やみ／香典情報の入力画面に応答して、ユーザがお悔やみ／香典の送付に必要となる情報を入力（お悔やみ／香典の送付先は、死亡広告の一覧で選択された故人の遺族が自動設定される）してそれを送信してくるので、続いて、ステップ３１で、そのお悔やみ／香典情報が送られてくるのを待って、そのお悔やみ／香典情報が送られてくると、続くステップ３２で、それを受け取ってチェックする。
【００７８】
続いて、ステップ３３で、送られてきたお悔やみ／香典情報の確認用返信ファイルを作成し、続くステップ３４で、その作成した確認用返信ファイルを送信元の端末２に返信することで、受け取ったお悔やみ／香典情報の確認画面を端末２のディスプレイ画面に表示する。すなわち、図１７に示すように、ユーザの入力したお悔やみ／香典情報を表示することで、その確認を求めるのである。
【００７９】
ここで、香典は遺族の指定する銀行口座に振り込むとともに、遺族に対しては香典の書面を送付するシステムを採用しているので、この確認画面では、香典を遺族の指定する銀行口座に振り込むことについても確認を求めている。
【００８０】
この確認画面の表示に応答して、ユーザがお悔やみ／香典情報の確認を送信してくるので、続いて、ステップ３５で、その確認の応答をチェックして、その応答がないことを判断するときには、ステップ３６に進んで、ステップ３３で作成した確認用返信ファイルを削除してから、ステップ９に戻る。
【００８１】
一方、ステップ３５で、ユーザからお悔やみ／香典情報の確認が送られてくるを判断するときには、ステップ３７に進んで、ステップ３３で作成した確認用返信ファイルからお悔やみ／香典情報の受付ファイルを作成し、続くステップ３８で、その作成した受付ファイルを指定して、葬儀サービス提供会社３００に対して、お悔やみの印刷とその送付とを指示する。
【００８２】
続いて、ステップ３９で、その作成した受付ファイルを指定して、葬儀サービス提供会社３００に対して、香典金額の銀行振込を指示するとともに、香典の送付用書面の印刷とその送付とを指示して、処理を終了する。
【００８３】
このステップ３８及びステップ３９での指示を受けて、葬儀サービス提供会社３００は、お悔やみの書面を作成して、宅配便会社５００などを使ってそれを遺族に送付し、そして、カード会社６００に対して、依頼元のユーザの銀行口座から遺族の指定する銀行口座への香典の振込を指示するとともに、香典の送付用書面を作成して、宅配便会社５００などを使ってそれを遺族に送付し、更に、カード会社６００に対して、依頼元のユーザの銀行口座からのサービス手数料の振り込みを指示することで、お悔やみと香典の送付を実行する。
【００８４】
このようにして、端末２を操作するユーザは、葬儀サービス提供プログラム１０２の掲示する死亡広告の一覧から、お悔やみ書面や香典を送付したいという遺族を見つけると、葬儀サービス提供プログラム１０２の表示する入力画面に必要な情報を入力するだけで、その遺族に対してお悔やみ書面や香典を送付できるようになるのである。
【００８５】
このように、葬儀サービス提供プログラム１０２は、図３ないし図６の処理フローを実行することで、インターネット３ａ上でのお悔やみ／香典の送付サービスを実行するように処理することになる。
【００８６】
上述した実施例では、葬儀サービス提供プログラム１０２は、お悔やみ書面と香典の送付サービスを提供する構成を採ったが、御供物と御供花の送付サービスについても提供することが可能である。
【００８７】
図１８ないし図２１に、この送付サービスを実現するために葬儀サービス提供プログラム１０２が実行する処理フローの一実施例を図示する。
【００８８】
次に、この処理フローに従って、お悔やみ書面と香典と御供物と御供花の送付サービスを実現する実施例について説明する。
【００８９】
葬儀サービス提供プログラム１０２は、ホームページから呼び出される図７に示すような初期画面を表示しているときに、ユーザが「死亡広告」ボタンをクリックすることで死亡広告の表示要求を発行すると、図１８ないし図２１の処理フローに示すように、先ず最初に、ステップ１で、使用方法について説明する図２２に示すような画面を、端末２のディスプレイ画面に表示する。
【００９０】
ここで、この使用方法について説明する画面では、都道府県別のマップから選択された地域内での過去２週間分の死亡広告を検索する「地域検索」ボタンと、指定された死亡者氏名（フリガナ入力可）を持つ死亡広告を検索する「死亡者検索」ボタンと、指定された葬儀日（宗教・宗派を含めること可）を持つ死亡広告を検索する「葬儀日検索」ボタンと、指定されたキーワードを有するプロフィールを持つ死亡広告を検索する「プロフィール検索」ボタンという、４つの検索ボタンを持っている。
【００９１】
続いて、ステップ２で、この表示画面の持つボタンがクリックされるのを待って、ボタンがクリックされると、続くステップ３で、検索ボタンがクリックされたのか否かを判断して、検索ボタン以外のボタンがクリックされたことを判断するときには、ステップ４に進んで、そのクリックされたボタンの指定する処理を行う。
【００９２】
一方、ステップ３で、検索ボタンがクリックされたことを判断するときには、ステップ５に進んで、葬儀情報ファイル１０１に格納される葬儀情報の中から、その検索ボタンにより指定される検索条件を充足する葬儀情報を検索して、それを死亡広告の形で端末２のディスプレイ画面に表示する。すなわち、図２３に示すような死亡広告の一覧を、端末２のディスプレイ画面に表示するのである。
【００９３】
ここで、この死亡広告の一覧画面では、各故人に対応付けて、その故人の葬儀の詳細情報の表示を指示する「詳細」ボタンと、その故人の遺族へのお悔やみや香典の送付を指示する「お悔やみ・香典」ボタンと、その故人の遺族への御供物の送付を指示する「御供物」ボタンと、その故人の遺族への御供花の送付を指示する「御供花」ボタンという、４つのボタンを持っている。
【００９４】
これから、続いて、ステップ６で、この死亡広告一覧画面の持つボタンがクリックされるのを待って、ボタンがクリックされると、続くステップ７で、「詳細」ボタンがクリックされたのか否かを判断して、「詳細」ボタンがクリックされたことを判断するときには、ステップ８に進んで、クリック先の指す故人の葬儀の詳細情報を、端末２のディスプレイ画面に表示する。
【００９５】
すなわち、図９の表示画面の右側部分に示したような情報で構成される故人の葬儀の詳細情報を、端末２のディスプレイ画面に表示するのである。ここで、この表示画面では、死亡広告の一覧画面に戻ることを指示するボタンの他に、図２３に示した「お悔やみ・香典」ボタン／「御供物」ボタン／「御供花」ボタンを持っており、これから、ステップ８で、故人の葬儀詳細情報を表示すると、その表示画面の持つ「お悔やみ・香典」ボタン／「御供物」ボタン／「御供花」ボタンがクリックされるのを待つべく、ステップ６に戻るように処理することになる。
【００９６】
一方、ステップ７で、「詳細」ボタン以外のボタンがクリックされたことを判断するときには、ステップ９（図１９の処理フロー）に進んで、「お悔やみ・香典」ボタンがクリックされたのか否かを判断して、「お悔やみ・香典」ボタンがクリックされたことを判断するときには、ステップ１０に進んで、お悔やみ・香典の送付サービスの案内画面を、端末２のディスプレイ画面に表示する。
【００９７】
すなわち、手数料などについて説明する図２４に示すようなお悔やみ・香典の送付サービスの案内画面（図１１に示したものと同一の情報を表示する）を、端末２のディスプレイ画面に表示するのである。
【００９８】
ここで、このお悔やみ・香典の送付サービスの案内画面では、お悔やみと香典の両方を送付することを指示するボタンと、お悔やみのみを送付することを指示するボタンと、香典のみを送付することを指示するボタンという、３つのボタンを持っている。
【００９９】
これから、続いて、ステップ１１で、この３つのボタンの内のいずれかがクリックされるのを待って、いずれかのボタンがクリックされたことを判断すると、ステップ１２に進んで、そのクリックされたボタンの指定する入力画面を端末２のディスプレイ画面に表示して、お悔やみや香典の送付に必要となる情報を入力する。
【０１００】
すなわち、お悔やみと香典の両方を送付することを指示するボタンがクリックされたことを判断するときには、図２５に示すような入力画面（図１６に示した入力画面に対応するもの）を表示することで、お悔やみ文と香典金額とを入力する。また、お悔やみのみを送付することを指示するボタンがクリックされたことを判断するときには、図２６に示すような入力画面（図１２に示した入力画面に対応するもの）を表示することで、お悔やみ文を入力する。また、香典のみを送付することを指示するボタンがクリックされたことを判断するときには、図２７に示すような入力画面（図１４に示した入力画面に対応するもの）を表示することで、香典金額を入力する。
【０１０１】
ここで、図２５〜図２７に示す入力画面では、送信者情報の入力画面の表示を指示する「送信者情報入力」ボタンの他に、図２３に示した表示画面の持つ「御供物」ボタン／「御供花」ボタンを持っている。更に、右上部分に設けられる「リンク」ボタンを使って、図２５の入力画面を表示しているときに、図２６や図２７の入力画面へ移行したり、図２６の入力画面を表示しているときに、図２５や図２７の入力画面へ移行したり、図２７の入力画面を表示しているときに、図２５や図２６の入力画面へ移行できるようになっている。
【０１０２】
これから、続いて、ステップ１３で、「送信者情報入力」ボタンがクリックされたのか否かを判断して、「送信者情報入力」ボタン以外のボタンがクリックされたことを判断するときには、ステップ１４に進んで、そのクリックされたボタンの指定する入力画面を表示して、そのクリックされたボタンの指定する送付物の送付に必要となる情報を入力する。そして、この情報を入力すると、ステップ１３に戻るように処理する。
【０１０３】
すなわち、「御供物」ボタンがクリックされる場合には、御供物の送付に必要となる情報の入力に用いられる図２８に示すような入力画面を表示して、どういう御供物をいくつ送るのかという情報を入力し、また、「御供花」ボタンがクリックされる場合には、御供花の送付に必要となる情報の入力に用いられる図２９に示すような入力画面を表示して、どういう御供花をいくつ送るのかという情報を入力することで、お悔やみや香典の送付に必要となる情報に加えて、御供物や御供花の送付に必要となる情報を入力するのである。
【０１０４】
一方、ステップ１３で、「送信者情報入力」ボタンがクリックされたことを判断するときには、ステップ１５に進んで、依頼元ユーザの情報（図１２や図１４や図１６の入力画面で入力した情報）の入力に用いる図３０に示すような入力画面を、端末２のディスプレイ画面に表示することで、依頼元ユーザの名前や住所や電話番号や電子メールアドレスや使用しているカード会社名・カード番号を入力する。
【０１０５】
このように、最後にユーザ情報を入力するという方法を用いることで、お悔やみ書面や香典を送付することに加えて、御供物や御供花を送付する場合にも、ユーザ情報を１回だけ入力すれば足りるようになっている。
【０１０６】
そして、このステップ１５では、この入力したユーザ情報とこれまでの処理で入力した情報とを指定して、葬儀サービス提供会社３００に対して、お悔やみ書面や香典の送付を指示（これに加えて、御供物や御供花の送付を指示することもある）して、処理を終了する。
【０１０７】
この指示を受けて、葬儀サービス提供会社３００は、図３ないし図６の処理フローの実施例で説明したような方法に従って、お悔やみ書面や香典の送付を実行する。
【０１０８】
そして、それに加えて、御供物の送付指示があるときには、その送付指示のある御供物を手配して、宅配便会社５００などを使ってそれを遺族に送付し、また、御供花の送付指示があるときには、その送付指示のある御供花を手配して、宅配便会社５００などを使ってそれを遺族に送付するとともに、カード会社６００に対して、依頼元のユーザの銀行口座からの御供物や御供花の代金の振り込みを指示することで、御供物や御供花の送付を実行する。
【０１０９】
一方、ステップ９で、「お悔やみ・香典」ボタンがクリックされたのではないことを判断するときには、ステップ１６（図２０の処理フロー）に進んで、「御供物」ボタンがクリックされたのか否かを判断して、「御供物」ボタンがクリックされたことを判断するときには、ステップ１７に進んで、御供物の送付に必要となる情報の入力に用いられる図２８に示すような入力画面を表示して、どういう御供物をいくつ送るのかという情報を入力する。
【０１１０】
ここで、「御供物」の送付に必要となる情報の入力に用いられる図２８に示す入力画面では、送信者情報の入力画面の表示を指示する「送信者情報入力」ボタンの他に、「お悔やみ・香典」ボタンと「御供花」ボタンとを持っている。
【０１１１】
これから、続いて、ステップ１８で、「送信者情報入力」ボタンがクリックされたのか否かを判断して、「送信者情報入力」ボタン以外のボタンがクリックされたことを判断するときには、ステップ１９に進んで、そのクリックされたボタンの指定する入力画面を表示して、そのクリックされたボタンの指定する送付物の送付に必要となる情報を入力する。そして、この情報を入力すると、ステップ１８に戻るように処理する。
【０１１２】
すなわち、「御供花」ボタンがクリックされる場合には、図２９に示すような入力画面を表示して、どういう御供花をいくつ送るのかという情報を入力し、また、お悔やみと香典の両方を送付することを指示するボタンがクリックされる場合には、図２５に示すような入力画面を表示して、お悔やみ文及び香典金額を入力し、また、お悔やみのみを送付することを指示するボタンがクリックされる場合には、図２６に示すような入力画面を表示して、お悔やみ文を入力し、また、香典のみを送付することを指示するボタンがクリックされる場合には、図２７に示すような入力画面を表示して、香典金額を入力するのである。
【０１１３】
一方、ステップ１８で、「送信者情報入力」ボタンがクリックされたことを判断するときには、ステップ２０に進んで、依頼元ユーザの情報の入力に用いる図３０に示すような入力画面を、端末２のディスプレイ画面に表示することで、依頼元ユーザの名前や住所や電話番号や電子メールアドレスや使用しているカード会社名・カード番号を入力する。
【０１１４】
このように、最後にユーザ情報を入力するという方法を用いることで、御供物を送付することに加えて、お悔やみ書面や香典や御供花を送付する場合にも、ユーザ情報を１回だけ入力すれば足りるようになっている。
【０１１５】
そして、このステップ２０では、この入力したユーザ情報とこれまでの処理で入力した情報とを指定して、葬儀サービス提供会社３００に対して、御供物の送付を指示（これに加えて、お悔やみ書面や香典や御供花の送付を指示することもある）して、処理を終了する。
【０１１６】
この指示を受けて、葬儀サービス提供会社３００は、その送付指示のある御供物を手配して、宅配便会社５００などを使ってそれを遺族に送付するとともに、カード会社６００に対して、依頼元のユーザの銀行口座からの御供物の代金の振り込みを指示することで、御供物の送付を実行する。
【０１１７】
そして、それに加えて、お悔やみ書面や香典の送付指示があるときには、図３ないし図６の処理フローの実施例で説明したような方法に従って、お悔やみ書面や香典の送付を実行し、また、御供花の送付指示があるときには、その送付指示のある御供花を手配して、宅配便会社５００などを使ってそれを遺族に送付するとともに、カード会社６００に対して、依頼元のユーザの銀行口座からの御供花の代金の振り込みを指示することで、御供花の送付を実行する。
【０１１８】
一方、ステップ１６で、「御供物」ボタンがクリックされたのではないことを判断するとき、すなわち、「御供花」ボタンがクリックされたことを判断するときには、ステップ２１（図２１の処理フロー）に進んで、図２９に示すような御供花の送付に必要となる情報の入力に用いられる入力画面を表示して、どういう御供花をいくつ送るのかという情報を入力する。
【０１１９】
ここで、「御供花」の送付に必要となる情報の入力に用いられる図２９に示す入力画面では、送信者情報の入力画面の表示を指示する「送信者情報入力」ボタンの他に、「お悔やみ・香典」ボタンと「御供物」ボタンとを持っている。
【０１２０】
これから、続いて、ステップ２２で、「送信者情報入力」ボタンがクリックされたのか否かを判断して、「送信者情報入力」ボタン以外のボタンがクリックされたことを判断するときには、ステップ２３に進んで、そのクリックされたボタンの指定する入力画面を表示して、そのクリックされたボタンの指定する送付物の送付に必要となる情報を入力する。そして、この情報を入力すると、ステップ２２に戻るように処理する。
【０１２１】
すなわち、「御供物」ボタンがクリックされる場合には、図２８に示すような入力画面を表示して、どういう御供物をいくつ送るのかという情報を入力し、また、お悔やみと香典の両方を送付することを指示するボタンがクリックされる場合には、図２５に示すような入力画面を表示して、お悔やみ文及び香典金額を入力し、また、お悔やみのみを送付することを指示するボタンがクリックされる場合には、図２６に示すような入力画面を表示して、お悔やみ文を入力し、また、香典のみを送付することを指示するボタンがクリックされる場合には、図２７に示すような入力画面を表示して、香典金額を入力するのである。
【０１２２】
一方、ステップ２２で、「送信者情報入力」ボタンがクリックされたことを判断するときには、ステップ２４に進んで、依頼元ユーザの情報の入力に用いる図３０に示すような入力画面を、端末２のディスプレイ画面に表示することで、依頼元ユーザの名前や住所や電話番号や電子メールアドレスや使用しているカード会社名・カード番号を入力する。
【０１２３】
このように、最後にユーザ情報を入力するという方法を用いることで、御供花を送付することに加えて、お悔やみ書面や香典や御供物を送付する場合にも、ユーザ情報を１回だけ入力すれば足りるようになっている。
【０１２４】
そして、このステップ２４では、この入力したユーザ情報とこれまでの処理で入力した情報とを指定して、葬儀サービス提供会社３００に対して、御供花の送付を指示（これに加えて、お悔やみ書面や香典や御供物の送付を指示することもある）して、処理を終了する。
【０１２５】
この指示を受けて、葬儀サービス提供会社３００は、その送付指示のある御供花を手配して、宅配便会社５００などを使ってそれを遺族に送付するとともに、カード会社６００に対して、依頼元のユーザの銀行口座からの御供花の代金の振り込みを指示することで、御供花の送付を実行する。
【０１２６】
そして、それに加えて、お悔やみ書面や香典の送付指示があるときには、図３ないし図６の処理フローの実施例で説明したような方法に従って、お悔やみ書面や香典の送付を実行し、また、御供物の送付指示があるときには、その送付指示のある御供物を調達して、宅配便会社５００などを使ってそれを遺族に送付するとともに、カード会社６００に対して、依頼元のユーザの銀行口座からの御供物の代金の振り込みを指示することで、御供物の送付を実行する。
【０１２７】
このようにして、端末２を操作するユーザは、葬儀サービス提供プログラム１０２の掲示する死亡広告の一覧から、お悔やみ書面や香典や御供物や御供花を送付したいという遺族を見つけると、葬儀サービス提供プログラム１０２の表示する入力画面に必要な情報を入力するだけで、その遺族に対してお悔やみ書面や香典や御供物や御供花を送付できるようになるのである。
【０１２８】
このようなお悔やみ書面や香典や御供物や御供花の送付サービスの他に、葬儀サービス提供プログラム１０２は、喪主やユーザに対して、様々な葬儀に関するサービスを提供する機能を有している。
【０１２９】
例えば、葬儀サービス提供プログラム１０２は、喪主からの依頼を受けて、会葬お礼や忌明けお礼や年賀欠礼の文面をインターネット３ａで閲覧できるようにする機能を有している。
【０１３０】
すなわち、葬儀サービス提供プログラム１０２は、図７に示すような初期画面を表示しているときに、ユーザが「年賀欠礼」ボタンをクリックすることで年賀欠礼の閲覧要求を発行すると、図３１に示すように、死亡広告の一覧を表示するとともに、その死亡広告の一覧の中から選択される故人の喪主からの年賀欠礼の御挨拶を、端末２のディスプレイ画面上に表示するという機能を有している。
【０１３１】
また、図７に示すような初期画面を表示しているときに、ユーザが「忌明けお礼」ボタンをクリックすることで忌明けお礼の閲覧要求を発行すると、図３２に示すように、死亡広告の一覧を表示するとともに、その死亡広告の一覧の中から選択される故人の喪主からの忌明けお礼の御挨拶を、端末２のディスプレイ画面上に表示するという機能を有している。
【０１３２】
このようにして端末２のディスプレイ画面に表示されることになる、「年賀欠礼」や「忌明けお礼」や「会葬お礼」の御挨拶は、ユーザからの依頼を受けて、入力端末２００を操作するオペレータが葬儀情報入力プログラム１０４と対話することで作成されて、葬儀情報ファイル１０１に登録されたり、ユーザが端末２を介して葬儀情報入力プログラム１０４と対話することで作成されて、葬儀情報ファイル１０１に登録されることになる。
【０１３３】
すなわち、例えば、入力端末２００を操作するオペレータは、「忌明けお礼」の御挨拶を葬儀情報ファイル１０１に登録するときには、葬儀情報入力プログラム１０４の表示する図３３に示すような初期画面から「忌明けお礼入力」を選択することで、図３４に示すような忌明けお礼入力画面を開設して、この忌明けお礼入力画面に、依頼元ユーザからの忌明けお礼の文面を入力していくことで、「忌明けお礼」の御挨拶を葬儀情報ファイル１０１に登録することになる。
【０１３４】
ここで、この忌明けお礼入力画面の持つ「登録番号」の入力域には、死亡広告の識別ＩＤとなる登録番号を入力することになる。また、写真や動画のファイル名を入力することで、忌明けお礼からリンクする形で写真や動画を表示できるようになっている。
【０１３５】
また、葬儀サービス提供プログラム１０２は、喪主が電子メールを使って特定のユーザに対して、死亡通知や会葬お礼通知や法要通知や香典お礼通知やお悔やみお礼通知を送信できるようにする機能を有している。
【０１３６】
すなわち、葬儀サービス提供プログラム１０２は、図７に示すような初期画面を表示しているときに、ユーザが「通知サービス」ボタンをクリックすることで、死亡通知や、会葬お礼通知や、法要通知や、香典お礼通知や、お悔やみお礼通知の送信要求を発行すると、図３５に示すように、それらの通知の文例を表示しつつ、それらの通知の文章を入力させるとともに、通知先ユーザの電子メールアドレスを入力させる画面を用意することで、それらの通知を特定のユーザに対して電子メールを使って送信していくという機能を有している。
【０１３７】
この通知サービスの内、香典お礼通知やお悔やみお礼通知については、葬儀サービス提供プログラム１０２によりその送付元の電子メールアドレス（香典やお悔やみの送付を依頼したユーザの電子メールアドレス）が取得されているので、依頼元ユーザからの依頼を受けて、入力端末２００を操作するオペレータが葬儀情報入力プログラム１０４と対話することで作成して、それを電子メールを使って送信していくようにしてもよい。
【０１３８】
すなわち、例えば、お悔やみの送付元の電子メールアドレスについては、図３６に示すように、その一覧が取得されているので、入力端末２００を操作するオペレータは、葬儀情報入力プログラム１０４の表示する図３３に示すような初期画面から「お悔やみお礼入力」を選択することで、図３７に示すようなお悔やみお礼入力画面を開設して、このお悔やみお礼入力画面に、依頼元ユーザからのお悔やみお礼の文面を入力していくことでお悔やみお礼の文面を作成して、それを取得してある電子メールアドレス宛に送信していくようにしてもよい。
【０１３９】
なお、図３３に示す初期画面に設けられる「お悔やみ印刷入力」は、喪主へ送付するお悔やみ書面の印刷指示のために設けられている。
【０１４０】
以上の説明において、香典の決済方法については、銀行振込を使わずに直接送付する方法を用いてもよい。また、御供物や御供花の送付に際して手数料を要求しないことで説明したが、手数料を要求してもよい。
【０１４１】
図３８に、葬儀や結婚式などの各種ライフイベントに関するサービスを提供する本発明の一実施例を図示する。
【０１４２】
この実施例に従うライフイベントサービス提供装置１００ａは、インターネット３ａを介して接続される端末２のユーザに対して、ライフイベントに関するサービスを提供する処理を行うものであって、ライフイベントサービス取扱会社４００ａから取得されるライフイベントに関する情報を格納するライフイベント情報ファイル１０１ａと、Ｗeb機能及び電子メール機能を使って、ユーザに対してライフイベントに関するサービスを提供するライフイベントサービス提供プログラム１０２ａと、端末２から送られてくる電子メールを格納するメールボックス１０３ａと、ライフイベントサービス取扱会社４００ａや自装置に備えられる入力端末２００ａと対話することで、ライフイベント情報ファイル１０１ａにライフイベント情報を登録するなどの処理を行うライフイベント情報入力プログラム１０４ａとを備える。
【０１４３】
ここで、図中、図２で説明したものと同じものについては同一の記号で示してあり、３００ａはライフイベントサービス提供会社である。
【０１４４】
また、ライフイベントサービス提供プログラム１０２ａやライフイベント情報入力プログラム１０４ａは、計算機が読み取り可能な半導体メモリなどの適当な記録媒体に格納することができる。
【０１４５】
ライフイベントサービス提供会社３００ａは、ライフイベントサービス提供プログラム１０２ａからの指示を受けて、ライフイベントに関する書面（メッセージ）の送付サービス要求があるときには、例えば、その書面を作成し体裁を整えて、宅配便会社５００などを使ってそれを送付先に送付するとともに、カード会社６００に対して、依頼元のユーザの銀行口座からライフイベントサービス提供会社３００ａの銀行口座への手数料の振り込みを指示することで、ライフイベントに関する書面の送付サービスを実行する。
【０１４６】
また、ライフイベントサービス提供会社３００ａは、ライフイベントサービス提供プログラム１０２ａからの指示を受けて、ライフイベントに関する送金サービス要求があるときには、例えば、カード会社６００に対して、依頼元ユーザの銀行口座から送付先の銀行口座へのお金の振り込みを指示し、それに合わせて送金の送付用書面（誰からお金が振り込まれたのかを記載する書面）を作成して、宅配便会社５００などを使ってそれを送付先に送付するとともに、カード会社６００に対して、依頼元のユーザの銀行口座からライフイベントサービス提供会社３００ａの銀行口座への手数料の振り込みを指示することで、ライフイベントに関する送金サービスを実行する。
【０１４７】
また、ライフイベントサービス提供会社３００ａは、ライフイベントサービス提供プログラム１０２ａからの指示を受けて、ライフイベントに関する贈り物の送付サービス要求があるときには、例えば、送付要求のある贈り物を手配して、宅配便会社５００などを使ってそれを送付先に送付するとともに、カード会社６００に対して、依頼元のユーザの銀行口座からライフイベントサービス提供会社３００ａ（あるいは御供物販売会社）の銀行口座への費用の振り込みを指示することで、ライフイベントに関する贈り物の送付サービスを実行する。
【０１４８】
図３９に、ライフイベントサービス提供プログラム１０２ａが取り扱うライフイベントの一例を図示する。
【０１４９】
この図に示すように、ライフイベントサービス提供プログラム１０２ａは、慶弔に関する様々なライフイベントを取り扱うことになる。
【０１５０】
次に、図４０ないし図４７に示す処理フローに従って、ライフイベントサービス提供プログラム１０２ａの実行する処理について詳細に説明する。
【０１５１】
ライフイベントサービス提供プログラム１０２ａは、ホームページから呼び出されると、図４０ないし図４７の処理フローに示すように、先ず最初に、ステップ１で、端末２のディスプレイに、図４８に示すようなライフイベント掲示板画面を表示する。
【０１５２】
すなわち、取り扱うライフイベントの一覧を表示するとともに、ライフイベントの検索に用いる検索文字の入力域と、その検索文字を持つライフイベントの検索を指示する「検索ボタン」とを持つライフイベント掲示板画面を表示するのである。
【０１５３】
ここで、この実施例では、「検索ボタン」がクリックされたときに実行する検索処理として、ライフイベント掲示板画面に表示される全てのライフイベントを検索対象とすることを想定しているが、どのライフイベントを検索対象とするのかを選択できるようにすることも可能である。
【０１５４】
続いて、ステップ２で、ライフイベント掲示板画面の表示するライフイベントがクリックされたのか否かを判断して、クリックされたことを判断するときには、ステップ３に進んで、ライフイベント情報ファイル１０１ａから、そのクリックされたライフイベントに関する情報を取得して、それに従って端末２のディスプレイに、そのクリックされたライフイベントの一覧画面（広告一覧画面）を表示する。
【０１５５】
例えば、ライフイベント掲示板画面の表示するライフイベント一覧の中から、「結婚」というライフイベントがクリックされるときには、図４９に示すように、結婚式場などのライフイベントサービス取扱会社４００ａから取得される結婚式の広告の一覧を表示するのである。
【０１５６】
一方、ステップ２で、ライフイベント掲示板画面の表示するライフイベントがクリックされたのではないことを判断するときには、ステップ４に進んで、ライフイベント掲示板画面の持つ検索文字入力域への検索文字の入力要求が発行されたのか否かを判断して、その入力要求が発行されたことを判断するときには、ステップ５に進んで、端末２を操作するユーザから入力される検索文字を入力してから、ステップ１に戻る。
【０１５７】
一方、ステップ４で、検索文字の入力要求が発行されたのではないことを判断するときには、ステップ６に進んで、ライフイベント掲示板画面の持つ「検索ボタン」がクリックされたのか否かを判断して、クリックされたのではないことを判断するときには、ステップ１に戻り、クリックされたことを判断するときには、ステップ７に進んで、ライフイベント情報ファイル１０１ａに格納される全ライフイベント情報を検索対象として、入力された検索文字を持つイベントを検索して、端末２のディスプレイに、その検索したライフイベントの一覧画面（広告一覧画面）を表示する。
【０１５８】
例えば、「山田」という検索文字が入力されたときには、ライフイベント情報ファイル１０１ａに格納される全ライフイベント情報を検索対象として、「山田」という文字を持つイベントを検索して、図５０に示すように、その検索結果のライフイベントの広告の一覧を表示するのである。
【０１５９】
ここで、「山口家，近藤家」の結婚式には、「山田」という文字が入っていないが、後述するように、「山口家，近藤家」の結婚式の仲人が「山田太郎」となっているので、「山田」という検索文字により検索されることになる。
【０１６０】
このようにして、ライフイベントの広告一覧画面を表示することになるが、この広告一覧画面では、表示するライフイベントの広告を地域順にソートすることを指示する「地域別ボタン」と、表示するライフイベントの広告を日付順にソートすることを指示する「日付ボタン」と、表示するライフイベントの広告を五十音順にソートすることを指示する「五十音ボタン」とを持っている。
【０１６１】
そこで、ライフイベントサービス提供プログラム１０２ａは、ステップ３／ステップ７の処理に従ってライフイベント広告一覧画面を表示すると、続いて、ステップ８（図４１の処理フロー）で、ライフイベント広告一覧画面の持つ「地域別ボタン」がクリックされたのか否かを判断して、クリックされたことを判断するときには、ステップ９に進んで、表示するライフイベントの広告を地域順にソートしてから、ステップ８に戻る。
【０１６２】
一方、ステップ８で、「地域別ボタン」がクリックされたのではないことを判断するときには、ステップ１０に進んで、ライフイベント広告一覧画面の持つ「日付ボタン」がクリックされたのか否かを判断して、クリックされたことを判断するときには、ステップ１１に進んで、表示するライフイベントの広告を日付順にソートしてから、ステップ８に戻る。
【０１６３】
一方、ステップ１０で、「日付ボタン」がクリックされたのではないことを判断するときには、ステップ１２に進んで、ライフイベント広告一覧画面の持つ「五十音ボタン」がクリックされたのか否かを判断して、クリックされたことを判断するときには、ステップ１３に進んで、表示するライフイベントの広告を五十音順にソートしてから、ステップ８に戻る。
【０１６４】
一方、ステップ１２で、「五十音ボタン」がクリックされたのではないことを判断するときには、ステップ１４に進んで、ライフイベント広告一覧画面の表示するライフイベントがクリックされたのか否かを判断して、クリックされたのではないことを判断するときには、ステップ８に戻り、クリックされたことを判断するときには、ステップ１５に進んで、ライフイベント情報ファイル１０１ａから、そのクリックされたライフイベントに関する詳細情報を取得して、それに従って端末２のディスプレイに、そのクリックされたライフイベントの詳細情報を表示する。
【０１６５】
例えば、図４９に示す結婚式の広告一覧を表示しているときに、「田中家，安藤家」の結婚式がクリックされるときには、図５１に示すように、その「田中家，安藤家」の結婚式の詳細な情報を表示するのである。そして、図５０に示すライフイベントの広告一覧を表示しているときに、「山口家，近藤家」の結婚式がクリックされるときには、その「山口家，近藤家」の結婚式の詳細な情報を表示するのである。
【０１６６】
このようにして、ユーザの選択したライフイベントについての詳細情報を表示するライフイベント詳細画面を表示することになるが、このライフイベント詳細画面では、そのライフイベントに関するメッセージ（祝電やお悔やみなど）の送信の依頼を指示する「メッセージ送信ボタン」と、そのライフイベントに関する贈り物（お祝いの贈り物や御供物や御供花など）の送付の依頼を指示する「贈り物送信ボタン」と、そのライフイベントに関する送金（お祝金や香典など）の依頼を指示する「送金ボタン」とを持っている。
【０１６７】
例えば、結婚式についての詳細情報を表示するライフイベント詳細画面では、図５１や図５２に示すように、祝電の送信の依頼を指示する「祝電送信ボタン」と、贈り物の送信（送付）の依頼を指示する「贈り物送信ボタン」と、お祝金の送金の依頼を指示する「お祝金送金ボタン」とを持っているのである。
【０１６８】
そこで、ライフイベントサービス提供プログラム１０２ａは、ステップ１５の処理に従ってライフイベント詳細画面を表示すると、続いて、ステップ１６（図４２の処理フロー）で、ライフイベント詳細画面の持つ「メッセージ送信ボタン」がクリックされたのか否かを判断して、クリックされたことを判断するときには、ステップ１７に進んで、端末２のディスプレイに、メッセージの送信に用いるメッセージ送信画面を表示する。
【０１６９】
例えば、結婚式についての詳細情報を表示するライフイベント詳細画面の持つ「祝電送信ボタン」がクリックされるときには、図５３に示すような祝電送信用のメッセージ送信画面を表示するのである。
【０１７０】
一方、ステップ１６で、「メッセージ送信ボタン」がクリックされたのではないことを判断するときには、ステップ１８に進んで、ライフイベント詳細画面の持つ「贈り物送信ボタン」がクリックされたのか否かを判断して、クリックされたことを判断するときには、ステップ１９に進んで、端末２のディスプレイに、贈り物の送信に用いる贈り物送信画面を表示する。
【０１７１】
例えば、結婚式についての詳細情報を表示するライフイベント詳細画面の持つ「贈り物送信ボタン」がクリックされるときには、図５４に示すような贈り物送信用の贈り物送信画面を表示するのである。
【０１７２】
一方、ステップ１８で、「贈り物送信ボタン」がクリックされたのではないことを判断するときには、ステップ２０に進んで、ライフイベント詳細画面の持つ「送金ボタン」がクリックされたのか否かを判断して、クリックされたのではないないことを判断するときには、ステップ１６に戻り、クリックされたことを判断するときには、ステップ２１に進んで、端末２のディスプレイに、送金に用いる送金画面を表示する。
【０１７３】
例えば、結婚式についての詳細情報を表示するライフイベント詳細画面の持つ「お祝金送金ボタン」がクリックされるときには、図５５に示すようなお祝金の送金画面を表示するのである。
【０１７４】
このようにして、ライフイベントに関するメッセージ送信画面や贈り物送信画面や送金画面を表示することになるが、このメッセージ送信画面では、図５３に示すように、ライフイベントに関するメッセージの入力域（メッセージ欄）と、例文選択用の「例文選択ボタン」と、そのライフイベントに関する贈り物の送付の依頼を指示する「贈り物送信ボタン」と、そのライフイベントに関する送金の依頼を指示する「送金ボタン」と、送信者情報の入力を指示する「送信者情報入力ボタン」とを持っている。
【０１７５】
そして、この贈り物画面では、図５４に示すように、ライフイベントに関する贈り物の選択用の入力域と、そのライフイベントに関するメッセージの送信の依頼を指示する「メッセージ送信ボタン」と、そのライフイベントに関する送金の依頼を指示する「送金ボタン」と、送信者情報の入力を指示する「送信者情報入力ボタン」とを持っている。
【０１７６】
そして、この送金画面では、図５５に示すように、ライフイベントに関する送金の金額入力用の入力域と、そのライフイベントに関するメッセージの送信の依頼を指示する「メッセージ送信ボタン」と、そのライフイベントに関する贈り物の送付の依頼を指示する「贈り物送信ボタン」と、送信者情報の入力を指示する「送信者情報入力ボタン」とを持っている。
【０１７７】
そこで、ライフイベントサービス提供プログラム１０２ａは、ステップ１７の処理に従ってメッセージ送信画面を表示（贈り物送信画面や送金画面から表示することもある）すると、続いて、ステップ２２（図４３の処理フロー）で、メッセージ送信画面の持つ「例文選択ボタン」がクリックされたのか否かを判断して、クリックされたことを判断するときには、ステップ２３に進んで、選択された例文をメッセージ入力域に表示してから、ステップ２２に戻る。
【０１７８】
一方、ステップ２２で、「例文選択ボタン」がクリックされたのではないことを判断するときには、ステップ２４に進んで、メッセージ送信画面の持つメッセージ入力域へのメッセージの入力要求が発行されたのか否かを判断して、その入力要求が発行されたことを判断するときには、ステップ２５に進んで、端末２を操作するユーザから入力されるメッセージを入力してから、ステップ２２に戻る。
【０１７９】
一方、ステップ２４で、メッセージの入力要求が発行されたのではないことを判断するときには、ステップ２６に進んで、メッセージ送信画面の持つ「贈り物送信ボタン」がクリックされたのか否かを判断して、クリックされたことを判断するときには、ステップ２７に進んで、入力メッセージを退避してから、端末２のディスプレイに贈り物送信画面を表示する。
【０１８０】
一方、ステップ２６で、「贈り物送信ボタン」がクリックされたのではないことを判断するときには、ステップ２８に進んで、メッセージ送信画面の持つ「送金ボタン」がクリックされたのか否かを判断して、クリックされたことを判断するときには、ステップ２９に進んで、入力メッセージを退避してから、端末２のディスプレイに送金画面を表示する。
【０１８１】
一方、ステップ２８で、「送金ボタン」がクリックされたのではないことを判断するときには、ステップ３０に進んで、メッセージ送信画面の持つ「送信者情報入力ボタン」がクリックされたのか否かを判断して、クリックされたのではないことを判断するときには、ステップ２２に戻り、クリックされたことを判断するときには、ステップ３１に進んで、入力メッセージを退避してから、端末２のディスプレイに、送信者情報の入力に用いる図５６に示すような送信者情報入力画面を表示する。
【０１８２】
また、ライフイベントサービス提供プログラム１０２ａは、図４２のステップ１９の処理に従って贈り物送信画面を表示（メッセージ送信画面や送金画面から表示することもある）すると、続いて、ステップ３２（図４４の処理フロー）で、贈り物送信画面の持つ贈り物選択用入力域に対して数量入力要求が発行されたのか否かを判断して、その入力要求が発行されたことを判断するときには、ステップ３３に進んで、端末２を操作するユーザから入力される贈り物の数量を入力し、その贈り物の合計金額を計算し表示してから、ステップ３２に戻る。
【０１８３】
すなわち、贈り物の数量入力を受け取ることで、どの贈り物を幾つ贈るのかということを決定して、その合計金額を算出するのである。
【０１８４】
一方、ステップ３２で、数量入力要求が発行されたのではないことを判断するときには、ステップ３４に進んで、贈り物送信画面の持つ「メッセージ送信ボタン」がクリックされたのか否かを判断して、クリックされたことを判断するときには、ステップ３５に進んで、入力数量を退避してから、端末２のディスプレイにメッセージ送信画面を表示する。
【０１８５】
一方、ステップ３４で、「メッセージ送信ボタン」がクリックされたのではないことを判断するときには、ステップ３６に進んで、贈り物送信画面の持つ「送金ボタン」がクリックされたのか否かを判断して、クリックされたことを判断するときには、ステップ３７に進んで、入力数量を退避してから、端末２のディスプレイに送金画面を表示する。
【０１８６】
一方、ステップ３６で、「送金ボタン」がクリックされたのではないことを判断するときには、ステップ３８に進んで、贈り物送信画面の持つ「送信者情報入力ボタン」がクリックされたのか否かを判断して、クリックされたのではないことを判断するときには、ステップ３２に戻り、クリックされたことを判断するときには、ステップ３９に進んで、入力数量を退避してから、端末２のディスプレイに、送信者情報の入力に用いる図５６に示すような送信者情報入力画面を表示する。
【０１８７】
また、ライフイベントサービス提供プログラム１０２ａは、図４２のステップ２１の処理に従って送金画面を表示（メッセージ送信画面や贈り物送信画面から表示することもある）すると、続いて、ステップ４０（図４５の処理フロー）で、送金画面の持つ送金金額入力域に対して送金金額の入力要求が発行されたのか否かを判断して、その入力要求が発行されたことを判断するときには、ステップ４１に進んで、端末２を操作するユーザから入力される送金金額を入力し、それを表示してから、ステップ４０に戻る。
【０１８８】
一方、ステップ４０で、送金金額の入力要求が発行されたのではないことを判断するときには、ステップ４２に進んで、送金画面の持つ「メッセージ送信ボタン」がクリックされたのか否かを判断して、クリックされたことを判断するときには、ステップ４３に進んで、入力金額を退避してから、端末２のディスプレイにメッセージ送信画面を表示する。
【０１８９】
一方、ステップ４２で、「メッセージ送信ボタン」がクリックされたのではないことを判断するときには、ステップ４４に進んで、送金画面の持つ「贈り物送信ボタン」がクリックされたのか否かを判断して、クリックされたことを判断するときには、ステップ４５に進んで、入力金額を退避してから、端末２のディスプレイに贈り物送信画面を表示する。
【０１９０】
一方、ステップ４４で、「贈り物送信ボタン」がクリックされたのではないことを判断するときには、ステップ４６に進んで、送金画面の持つ「送信者情報入力ボタン」がクリックされたのか否かを判断して、クリックされたのではないことを判断するときには、ステップ４０に戻り、クリックされたことを判断するときには、ステップ４７に進んで、入力金額を退避してから、端末２のディスプレイに、送信者情報の入力に用いる図５６に示すような送信者情報入力画面を表示する。
【０１９１】
このようにして、メッセージ送信画面を表示して、ライフイベントに関するメッセージの送信に必要となる情報を取得し、また、贈り物送信画面を表示して、ライフイベントに関する贈り物の送信（送付）に必要となる情報を取得し、また、送金画面を表示して、ライフイベントに関する送金に必要となる情報を取得すると、それに続けて、図５６に示すような送信者情報入力画面を表示することになるが、この送信者情報入力画面では、依頼元となるユーザの個人情報の入力域と、ライフイベントサービス提供会社３００ａに対する依頼発行を指示する「送るボタン」と、入力された送信者情報の消去を指示する「クリアボタン」とを持っている。
【０１９２】
そこで、ライフイベントサービス提供プログラム１０２ａは、ステップ３１／ステップ３９／ステップ４７の処理に従って送信者情報入力画面を表示すると、続いて、ステップ４８（図４６の処理フロー）で、送信者情報入力画面の持つ「クリアボタン」がクリックされたのか否かを判断して、クリックされたことを判断するときには、ステップ４９に進んで、入力された送信者情報をクリアしてから、ステップ４８に戻る。
【０１９３】
一方、ステップ４８で、「クリアボタン」がクリックされたのではないことを判断するときには、ステップ５０に進んで、送信者情報入力画面の持つ送信者情報入力域に対して送信者情報の入力要求が発行されたのか否かを判断して、その入力要求が発行されたことを判断するときには、ステップ５１に進んで、端末２を操作するユーザから入力される送信者情報を入力してから、ステップ４８に戻る。
【０１９４】
一方、ステップ５０で、送信者情報の入力要求が発行されたのではないことを判断するときには、ステップ５２に進んで、送信者情報入力画面の持つ「送るボタン」がクリックされたのか否かを判断して、クリックされたのではないことを判断するときには、ステップ４８に戻り、クリックされたことを判断するときには、ステップ５３に進んで、入力した送信者情報を退避してから、端末２のディスプレイに、これまでの処理により入力した情報の確認に用いる図５７に示すような送信確認画面を表示する。
【０１９５】
この送信確認画面では、図５７に示すように、これまでの処理により入力した情報を、ライフイベントサービス提供会社３００ａに通知することを指示する「Ｓend ボタン」を持っている。
【０１９６】
そこで、ライフイベントサービス提供プログラム１０２ａは、ステップ５３の処理に従って送信確認画面を表示すると、続いて、ステップ５４（図４７の処理フロー）で、送信確認画面の持つ「Ｓend ボタン」がクリックされるのを待って、「Ｓend ボタン」がクリックされたことを検出すると、ステップ５５に進んで、送信確認画面で表示する情報を送信情報として登録して、処理を終了する。
【０１９７】
このようにして登録された送信情報は、ライフイベントサービス提供会社３００ａに通知されることになる。
【０１９８】
このようにして、ライフイベントサービス提供プログラム１０２ａは、図４８に示すライフイベント掲示板画面を表示しているときに、例えば、結婚というライフイベントがクリックされると、結婚の広告一覧画面を介して処理対象となる結婚式を選択して、図５１に示すように、その選択した結婚式の詳細情報について記述する詳細画面を表示する。
【０１９９】
そして、その詳細画面から呼び出される図５３に示すような祝電の送信画面を使って、依頼先に送る祝電の情報を取得したり、その詳細画面から呼び出される図５４に示すような贈り物の送信画面を使って、依頼先に送る贈り物の情報を取得したり、その詳細画面から呼び出される図５５に示すようなお祝い金の送信画面を使って、依頼先に送金する金額を取得して、それらの情報を、依頼元となるユーザの送信者情報とともに、ライフイベントサービス提供会社３００ａに通知していくように処理するのである。
【０２００】
また、ライフイベントサービス提供プログラム１０２ａは、図４８に示すライフイベント掲示板画面を表示しているときに、例えば、葬式というライフイベントがクリックされると、葬式の広告一覧画面を介して処理対象となる葬式を選択して、図５８に示すように、その選択した葬式の詳細情報について記述する詳細画面を表示する。
【０２０１】
そして、その詳細画面から呼び出される図５９に示すようなお悔やみの送信画面を使って、依頼先に送るお悔やみの情報を取得したり、その詳細画面から呼び出される図６０に示すような御供物の送信画面を使って、依頼先に送る御供物の情報を取得したり、その詳細画面から呼び出される図６１に示すような香典の送金画面を使って、依頼先に送金する香典金額を取得して、それらの情報を、依頼元となるユーザの送信者情報とともに、ライフイベントサービス提供会社３００ａに通知していくように処理するのである。
【０２０２】
また、ライフイベントサービス提供プログラム１０２ａは、図４８に示すライフイベント掲示板画面を表示しているときに、例えば、同窓会というライフイベントがクリックされると、同窓会の広告一覧画面を介して処理対象となる同窓会を選択して、図６２に示すように、その選択した同窓会の詳細情報について記述する詳細画面を表示する。
【０２０３】
そして、その詳細画面から呼び出される図６３に示すようなメッセージの送信画面を使って、依頼先に送るメッセージの情報を取得したり、その詳細画面から呼び出される図６４に示すような会費の送金画面を使って、依頼先に送金する会費金額を取得して、それらの情報を、依頼元となるユーザの送信者情報とともに、ライフイベントサービス提供会社３００ａに通知していくように処理するのである。
【０２０４】
ライフイベントサービス提供会社３００ａは、このライフイベントサービス提供プログラム１０２ａからの通知を受けて、ライフイベントに関する書面（メッセージ）の送付サービス要求があるときには、例えば、その書面を作成し体裁を整えて、宅配便会社５００などを使ってそれを送付先に送付するとともに、カード会社６００に対して、依頼元のユーザの銀行口座からライフイベントサービス提供会社３００ａの銀行口座への手数料の振り込みを指示することで、ライフイベントに関する書面の送付サービスを実行する。
【０２０５】
また、ライフイベントサービス提供会社３００ａは、このライフイベントサービス提供プログラム１０２ａからの通知を受けて、ライフイベントに関する送金のサービス要求があるときには、例えば、カード会社６００に対して、依頼元ユーザの銀行口座から送付先の銀行口座へのお金の振り込みを指示し、それに合わせて送金の送付用書面（誰からお金が振り込まれたのかを記載する書面）を作成して、宅配便会社５００などを使ってそれを送付先に送付するとともに、カード会社６００に対して、依頼元のユーザの銀行口座からライフイベントサービス提供会社３００ａの銀行口座への手数料の振り込みを指示することで、ライフイベントに関する送金サービスを実行する。
【０２０６】
また、ライフイベントサービス提供会社３００ａは、このライフイベントサービス提供プログラム１０２ａからの通知を受けて、ライフイベントに関する贈り物の送付サービス要求があるときには、例えば、送付要求のある贈り物を手配して、宅配便会社５００などを使ってそれを送付先に送付するとともに、カード会社６００に対して、依頼元のユーザの銀行口座からライフイベントサービス提供会社３００ａ（あるいは御供物販売会社）の銀行口座への費用の振り込みを指示することで、ライフイベントに関する贈り物の送付サービスを実行する。
【０２０７】
以上に説明した実施例では説明しなかったが、ライフイベントサービス提供装置１００ａは、本発明を実現するために、図６５に示すようなデータ構造を持つ管理テーブルを備える構成を採っている。
【０２０８】
すなわち、本発明を実現するために、図６５（ａ）に示すように、ライフイベントの詳細情報に対応付けて、メッセージをどういう名称でどこに送るのかという情報と、贈り物をどういう名称でどこに送るのかという情報と、お金をどういう名称でどこに送るのかということなどについて管理する管理テーブルを備えるとともに、図６５（ｂ）に示すように、送信者の情報に対応付けて、どういうメッセージを送信するのかという情報と、どういう贈り物をいくつ送るのかという情報と、いくらの金額を送金するのかということなどについて管理する管理テーブルを備える構成を採っている。
【０２０９】
図示実施例に従って本発明を説明したが、本発明はこれに限定されるものではない。例えば、実施例では、ライフイベントサービス提供会社３００ａは、ライフイベントに関するメッセージを宅配便会社５００などを使って送付先に送付することで説明したが、電子メールの形で送付先に送信することでもよい。
【図面の簡単な説明】
【０２１０】
【図１】本発明の原理構成図である。
【図２】本発明の一実施例である。
【図３】葬儀サービス提供プログラムの処理フローである。
【図４】葬儀サービス提供プログラムの処理フローである。
【図５】葬儀サービス提供プログラムの処理フローである。
【図６】葬儀サービス提供プログラムの処理フローである。
【図７】ディスプレイ画面の説明図である。
【図８】ディスプレイ画面の説明図である。
【図９】ディスプレイ画面の説明図である。
【図１０】ディスプレイ画面の説明図である。
【図１１】ディスプレイ画面の説明図である。
【図１２】ディスプレイ画面の説明図である。
【図１３】ディスプレイ画面の説明図である。
【図１４】ディスプレイ画面の説明図である。
【図１５】ディスプレイ画面の説明図である。
【図１６】ディスプレイ画面の説明図である。
【図１７】ディスプレイ画面の説明図である。
【図１８】葬儀サービス提供プログラムの処理フローである。
【図１９】葬儀サービス提供プログラムの処理フローである。
【図２０】葬儀サービス提供プログラムの処理フローである。
【図２１】葬儀サービス提供プログラムの処理フローである。
【図２２】ディスプレイ画面の説明図である。
【図２３】ディスプレイ画面の説明図である。
【図２４】ディスプレイ画面の説明図である。
【図２５】ディスプレイ画面の説明図である。
【図２６】ディスプレイ画面の説明図である。
【図２７】ディスプレイ画面の説明図である。
【図２８】ディスプレイ画面の説明図である。
【図２９】ディスプレイ画面の説明図である。
【図３０】ディスプレイ画面の説明図である。
【図３１】ディスプレイ画面の説明図である。
【図３２】ディスプレイ画面の説明図である。
【図３３】ディスプレイ画面の説明図である。
【図３４】ディスプレイ画面の説明図である。
【図３５】ディスプレイ画面の説明図である。
【図３６】ディスプレイ画面の説明図である。
【図３７】ディスプレイ画面の説明図である。
【図３８】本発明の一実施例である。
【図３９】取り扱うライフイベントの一例である。
【図４０】ライフイベントサービス提供プログラムの処理フローである。
【図４１】ライフイベントサービス提供プログラムの処理フローである。
【図４２】ライフイベントサービス提供プログラムの処理フローである。
【図４３】ライフイベントサービス提供プログラムの処理フローである。
【図４４】ライフイベントサービス提供プログラムの処理フローである。
【図４５】ライフイベントサービス提供プログラムの処理フローである。
【図４６】ライフイベントサービス提供プログラムの処理フローである。
【図４７】ライフイベントサービス提供プログラムの処理フローである。
【図４８】ディスプレイ画面の説明図である。
【図４９】ディスプレイ画面の説明図である。
【図５０】ディスプレイ画面の説明図である。
【図５１】ディスプレイ画面の説明図である。
【図５２】ディスプレイ画面の説明図である。
【図５３】ディスプレイ画面の説明図である。
【図５４】ディスプレイ画面の説明図である。
【図５５】ディスプレイ画面の説明図である。
【図５６】ディスプレイ画面の説明図である。
【図５７】ディスプレイ画面の説明図である。
【図５８】ディスプレイ画面の説明図である。
【図５９】ディスプレイ画面の説明図である。
【図６０】ディスプレイ画面の説明図である。
【図６１】ディスプレイ画面の説明図である。
【図６２】ディスプレイ画面の説明図である。
【図６３】ディスプレイ画面の説明図である。
【図６４】ディスプレイ画面の説明図である。
【図６５】管理テーブルの説明図である。
【符号の説明】
【０２１１】
１    ライフイベントサービス提供装置
２    端末
３    ネットワーク
４    ライフイベントサービス提供会社
５    取扱会社
６    中継会社
７    決済会社
１０  ライフイベント情報ファイル
１１  掲示手段
１２  特定手段
１３  表示手段
１４  取得手段
１５  入力手段
１６  送信手段
【図１】
0003572070.tif 000002
【図２】
0003572070.tif 000003
【図３】
0003572070.tif 000004
【図４】
0003572070.tif 000005
【図５】
0003572070.tif 000006
【図６】
0003572070.tif 000007
【図７】
0003572070.tif 000008
【図８】
0003572070.tif 000009
【図９】
0003572070.tif 000010
【図１０】
0003572070.tif 000011
【図１１】
0003572070.tif 000012
【図１２】
0003572070.tif 000013
【図１３】
0003572070.tif 000014
【図１４】
0003572070.tif 000015
【図１５】
0003572070.tif 000016
【図１６】
0003572070.tif 000017
【図１７】
0003572070.tif 000018
【図１８】
0003572070.tif 000019
【図１９】
0003572070.tif 000020
【図２０】
0003572070.tif 000021
【図２１】
0003572070.tif 000022
【図２２】
0003572070.tif 000023
【図２３】
0003572070.tif 000024
【図２４】
0003572070.tif 000025
【図２５】
0003572070.tif 000026
【図２６】
0003572070.tif 000027
【図２７】
0003572070.tif 000028
【図２８】
0003572070.tif 000029
【図２９】
0003572070.tif 000030
【図３０】
0003572070.tif 000031
【図３１】
0003572070.tif 000032
【図３２】
0003572070.tif 000033
【図３３】
0003572070.tif 000034
【図３４】
0003572070.tif 000035
【図３５】
0003572070.tif 000036
【図３６】
0003572070.tif 000037
【図３７】
0003572070.tif 000038
【図３８】
0003572070.tif 000039
【図３９】
0003572070.tif 000040
【図４０】
0003572070.tif 000041
【図４１】
0003572070.tif 000042
【図４２】
0003572070.tif 000043
【図４３】
0003572070.tif 000044
【図４４】
0003572070.tif 000045
【図４５】
0003572070.tif 000046
【図４６】
0003572070.tif 000047
【図４７】
0003572070.tif 000048
【図４８】
0003572070.tif 000049
【図４９】
0003572070.tif 000050
【図５０】
0003572070.tif 000051
【図５１】
0003572070.tif 000052
【図５２】
0003572070.tif 000053
【図５３】
0003572070.tif 000054
【図５４】
0003572070.tif 000055
【図５５】
0003572070.tif 000056
【図５６】
0003572070.tif 000057
【図５７】
0003572070.tif 000058
【図５８】
0003572070.tif 000059
【図５９】
0003572070.tif 000060
【図６０】
0003572070.tif 000061
【図６１】
0003572070.tif 000062
【図６２】
0003572070.tif 000063
【図６３】
0003572070.tif 000064
【図６４】
0003572070.tif 000065
【図６５】
0003572070.tif 000066